(57)【要約】【課題】  高い温風温度で寝具を乾燥する際、誤って人が寝具の上で寝た時に低温やけどをすることがないようにした安全で快適な寝具を提供する。【解決手段】  通気性を有する生地３に覆われてなる敷きふとん本体１と、この敷きふとん本体１内に設けられた通気性を有する空間材ユニット８と、この空間材ユニット８の下側または上側に設けられ、側面の一部に開口部１０を有した通気性の悪い材質で構成された通風袋９と、前記空間材ユニット８および通風袋９に連通するように設けられた連結管１１と、この連結管１１を介して空間材ユニット８及び通風袋９に温風又は冷風を送風する温風供給手段１２と、この温風供給手段１２の送風する温風温度を制御する制御部１９と、前記温風供給手段１２の送風圧力を検知する圧力センサー１７とを備え、この圧力センサー１７の信号により温風供給手段１２の送風する温風温度を制御部１９で制御する。【選択図】  図１
2006346053.tif 000002
【特許請求の範囲】
【請求項１】
通気性を有する生地（３）に覆われてなる敷きふとん本体（１）と、この敷きふとん本体（１）内に設けられた通気性を有する空間材ユニット（８）と、この空間材ユニット（８）の下側または上側に設けられ、側面の一部に開口部（１０）を有した通気性の悪い材質で構成された通風袋（９）と、前記空間材ユニット（８）および通風袋（９）に連通するように設けられた連結管（１１）と、この連結管（１１）を介して空間材ユニット（８）及び通風袋（９）に温風又は冷風を送風する温風供給手段（１２）と、この温風供給手段（１２）の送風する温風温度を制御する制御部（１９）と、前記温風供給手段（１２）の送風圧力を検知する圧力センサー（１７）とを備え、この圧力センサー（１７）の信号により温風供給手段（１２）の送風する温風温度を制御部（１９）で制御することを特徴とする圧力検知機能付き寝具。
【請求項２】
制御部（１９）に入力する切り替えスイッチ（２１）を設け、この切り替えスイッチ（２１）により少なくとも温風モードと、ふとん乾燥モードと、送風モードに切り替えて温風供給手段（１２）の温風温度を可変可能としたことを特徴とする請求項１記載の圧力検知機能付き寝具。
【請求項３】
通風袋（９）に送風される温風又は冷風の送風量を空間材ユニット（８）に送風される送風量より多くしたことを特徴とする請求項１または２記載の圧力検知機能付き寝具。
【発明の詳細な説明】
【技術分野】
【０００１】
本発明は、寝具の乾燥および暖め、除湿に関するものであり、特に高い温風温度で寝具を乾燥する際、誤って人が寝具の上で寝た時に低温やけどをすることがないようにしたものである。
【背景技術】
【０００２】
従来のこの種の敷きふとんに温風および冷風を送り込むように構成された寝具は、図５、図６に示すような構造のものが知られている。すなわち、敷きふとん本体１０１は中綿１０２をキルティング等により表布と一体化した上生地１０３ａと下生地１０３ｂおよび中綿１０２より硬い材質で形成された多孔質の通気性を有する硬質層１０４と、その硬質層１０４を包み込み、かつ温風、または冷風を通風させるための送風袋１０５を前記の敷きふとん本体１０１に挿入したものから構成され、この敷きふとん本体１０１にふとん乾燥機１０６等からホース１０７を介して温風１０８を供給して敷きふとん本体１０１を暖めるものであった（例えば、特許文献１参照）。
【０００３】
【特許文献１】特開平８−８４６４２号公報
【発明の開示】
【発明が解決しようとする課題】
【０００４】
上記の従来技術において、敷きふとん本体１０１に温風および冷風を送るように構成された敷きふとん本体１０１は、内部に多孔質の通気性を有する硬質層１０４を挿入しているため、人が敷きふとん本体１０１の上に寝ても通気性を有する空間を確保できることから、睡眠中に温風を送り続けて敷きふとん本体１０１を暖めることができるものである。このような敷きふとん本体１０１に就寝した使用者を暖めるためには、敷きふとん本体１０１表面の温度を体温（約３６度）を超える温度で暖め続けると低温やけどの恐れがあるため、それ以下の温度となるようにする必要があった。
【０００５】
一方、敷きふとん本体１０１を乾燥させる乾燥機として使う場合は敷きふとん本体１０１の乾燥効率を上げると共にダニ等を死滅させるために温風温度を５０度以上程度に上げる必要があった。
【０００６】
この両方の使い方を両立させるためには、温風温度を使う用途によって変えるという手段、例えばスイッチをふとん乾燥機１０６等に設けて、就寝時の温風温度とふとん乾燥時の温風温度を切り換えることが考えられるが、誤って、ふとん乾燥時の温風を敷きふとん本体１０１に送風中に使用者が就寝すると低温やけどになる恐れがあった。
【課題を解決するための手段】
【０００７】
本発明は上記の問題を解決するためになされたものであり、請求項１では通気性を有する生地に覆われてなる敷きふとん本体と、この敷きふとん本体内に設けられた通気性を有する空間材ユニットと、この空間材ユニットの下側または上側に設けられ、側面の一部に開口部を有した通気性の悪い材質で構成された通風袋と、前記空間材ユニットおよび通風袋に連通するように設けられた連結管と、この連結管を介して空間材ユニット及び通風袋に温風又は冷風を送風する温風供給手段と、この温風供給手段の送風する温風温度を制御する制御部と、前記温風供給手段の送風圧力を検知する圧力センサーとを備え、この圧力センサーの信号により温風供給手段の送風する温風温度を制御部で制御するものである。
【０００８】
また、請求項２では、制御部に入力する切り替えスイッチを設け、この切り替えスイッチにより少なくとも温風モードと、ふとん乾燥モードと、送風モードに切り替えて温風供給手段の温風温度を可変可能としたものである。
【０００９】
また、請求項３では、通風袋に送風される温風又は冷風の送風量を空間材ユニットに送風される送風量より多くしたものである。
【発明の効果】
【００１０】
本発明の圧力検知機能付き寝具は、上記のように構成したことにより、切換スイッチを切り換えてふとん乾燥モードにすることにより、敷きふとん本体の生地の表面温度を約５０度程度にすることができ、敷きふとん本体に掛けふとんを掛ける等すれば敷きふとん本体および掛けふとんの乾燥ができると共にダニ等を死滅させることができる。
【００１１】
また、切換スイッチを切り換えて温風モードにすることにより、敷きふとん本体の生地の表面温度を約３６度程度にすることができ、使用者が就寝時に温風を送り続けても低温やけどの心配のないものとすることができる。
【００１２】
また、切換スイッチを切り換えて送風モードにすることにより、暑い夏場等に敷きふとん本体に滞留した熱気および湿気を敷きふとん本体外に排出することができ、快適な寝床内環境を作ることができる。
【００１３】
また、切換スイッチを切り換えてふとん乾燥モードにして、敷きふとん本体の上で使用者が就寝した場合、圧力センサーの信号により、自動的に温風温度を制御して低温やけどを発生させない低い温度にして、継続して敷きふとん本体を温め続けることができるため、安全で快適な寝具を供給することができる。
【発明を実施するための最良の形態】
【００１４】
以下、本発明の一実施例を図１から図４を参照して説明する。
【００１５】
図１は本発明の一実施例を説明する圧力検知機能付き寝具の縦断面図、図２は同じく要部の縦断面図、図３は同じく平面図、図４は同じく温風供給手段の制御ブロック図である。
【００１６】
図において、１は敷ふとん本体、２は中綿、３は通気性を有する布状の材質の生地で、上生地３ａ、下生地３ｂ、側面生地３ｃで構成され、上生地３ａと下生地３ｂは中綿２をキルティング等により一体化し、側面生地３ｃととも覆うようにして敷きふとん本体１の外郭を構成している。
【００１７】
６は空間材で、多孔質の通気性を有している硬い材質で形成されたものであり、この上に人が就寝しても潰れて通気性が失われることがない程度の硬さを有するものである。
【００１８】
７は収納袋で、通気性の良い材質の布状の材質で構成されており、この収納袋７の中に前記空間材６を収納して空間材ユニット８を構成している。そして、この空間材ユニット８は敷きふとん本体１内に設けられている。
【００１９】
９は通風袋で、通気性の悪い布状の材質で構成されており、敷きふとん本体１内の空間材ユニット８の下側に設けられている。９ａは通風袋９を流れる温風の通気路である。なお、通風袋９は空間材ユニット８の上側に設けても良い。
【００２０】
１０は開口部で、通風袋９の側面の一部に設けられており、ここから通風袋９に送風された空気が通気性を有した例えばメッシュ状とした通気性の良好な側面生地３ｃを介して敷きふとん本体１外に排出される。
【００２１】
１１は連結管で、敷きふとん本体１内の空間材ユニット８に送風するための連結管Ａ１１ａと、通風袋９に送風するための連結管Ｂ１１ｂに分岐していて、両方に送風可能なように構成されている。
【００２２】
１２は温風供給手段で、モータ（図示せず）で駆動される送風機１３と、送風機１３により発生した風を導く送風ケーシング１４と、この送風ケーシング１４内に組み込まれ、送風される風を温風に変えるヒータ１５と、送風ケーシング１４に連結された連絡管１６の先に設けられ、送風機１３の送風圧力を検知する圧力センサー１７と、ヒータ１５の下流側に設けられ、送風される風の温度を検知するサーミスタ１８と、サーミスタ１８と圧力センサー１７の出力信号を入力してヒータ１５や送風機１３の通電を制御する制御部１９等で構成されている。
【００２３】
２０はホースで、温風供給手段１２から送風される温風や冷風２３を敷きふとん本体１の空間材ユニット８と通風袋９に通風するために、温風供給手段１２と連結管１１とを接続するものである。
【００２４】
図４の温風供給手段１２の制御ブロック図において、２１は切り替えスイッチ、２２は運転ＯＮ／ＯＦＦスイッチであり、使用者が操作できるように温風供給手段１２に設けられていて、夫々制御部１９にリード線で接続され制御部１９に信号を入力している。そして、切り替えスイッチ２１は就寝時に敷きふとん本体１を暖めるための温風を送風する温風モード、ふとんを乾燥させるための温風を送風するふとん乾燥モード、および、ヒータ１５を通電せず送風だけする送風モードを設定することができ、スイッチを切り換えることで温風温度を可変することができる。
【００２５】
また、運転ＯＮ／ＯＦＦスイッチ２２は温風供給手段１２の運転をＯＮ／ＯＦＦするためのスイッチである。
【００２６】
次に、以上の構成による作用を説明する。
【００２７】
敷きふとん本体１を乾燥させる場合、切換スイッチ２１をふとん乾燥モードに切り換え、運転スイッチ２２をＯＮすると、制御部１９はヒータ１５を通電すると共に送風機１３を通電し、温風がホース２０を介して敷きふとん本体１の連結管１１に送風され、連結管１１によって連通された空間材ユニット８および通風袋９に送風される。
【００２８】
通風袋９に送風された風は、この通風袋９の側面の一部に設けられた開口部１０から通気性を有したメッシュ状とした通気性の良好な側面生地３ｃを介して敷きふとん本体１外に排出され、使用者が敷きふとん本体１の上に乗っていないときには通風袋９が膨らみ、通気路９ａが確保されるため温風の送風圧力はそれ程上がらない。したがって、このとき温風供給手段１２に設けられた圧力センサー１７は低い圧力を検出する。
【００２９】
このとき送風される温風の温度は、サーミスタ１８によって検知され、制御部１９によりヒータ１５の通電を制御して一定温度となるように制御される。空間材ユニット８に送風された温風は、空間材６全体に行き渡り、収納袋７と上生地３ａを通して敷きふとん本体１上面側に通気する温風により上生地３ａ部が約５０度に温められる。これにより、敷きふとん本体１の上に掛けふとんが載せてあれば、敷きふとん本体１および掛けふとんを同時に乾燥できるとともに温度上昇によりダニ等を死滅させることができる  切換スイッチ２１を温風モードに切り換え、運転スイッチ２２をＯＮにすると、敷きふとん本体１に送風される温風の送風形態は前記ふとん乾燥モードと同じであるが、敷きふとん本体１の上生地３ａ部の温度が約３６度になるように制御部１９によりヒータ１５の通電が制御される。敷きふとん本体１内には空間材ユニット８が設けられているため、敷きふとん本体１の上に使用者が就寝しても、温風の通路が確保でき、かつ収納袋７及び上生地３ａ、下生地３ｂ、側面生地３ｃが通気性のある部材で構成されているため、敷きふとん本体１内に温風を通気することができ、敷きふとん本体１を使用者が就寝時にも温め続けることができる。このとき、通風袋９は使用者の体重で潰れて通気路９ａが確保できず、この部分を流れようとする温風は空間材ユニット８に集中するようになり、相対的に空間材ユニット８に流れる風量は増えるが、通気性は変わらないため、温風のもつ圧力は上がり、温風供給手段１２に設けられた圧力センサー１７は高い圧力を検出する。このように、使用者が敷きふとん本体１の上に乗ったか、乗っていないかを圧力センサー１７の検知出力で検知することが可能となる。
【００３０】
したがって、使用者が就寝時に敷きふとん本体１を温風により温め続けても温度が低いため低温やけどをする心配はない。
【００３１】
切換スイッチ２１を送風モードに切り替え、運転スイッチ２２をＯＮにすると、敷きふとん本体１に送風される温風の送風形態は前記と同じであるが、ヒータ１５は通電されないため、送風機１３から敷きふとん本体１内に送風された冷風により、暑い夏場等で敷きふとん本体１の中に滞留している熱気や湿気等をふとんの外に排出して涼しく就寝することができる。
【００３２】
切り替えスイッチ２１をふとん乾燥モードに切り替えて運転中に、誤って敷きふとん本体１の上に人が就寝した場合は、通風袋９が使用者の重さで押しつぶされ、これにより通風袋９の通気路９ａが確保できなくなるため、通風袋９側に流れていた温風は、空間材ユニット８側に集中するため、相対的に空間材ユニット８部に流れる風量が増える。このとき空間材６を収納している収納袋７及び上生地３ａの通気性は変わらないため、温風供給手段１２から送風される送風圧力が高くなり、その圧力上昇を圧力センサー１７が検知し、その検知信号により制御部１９がサーミスタ１８で温風温度を検知しながら温風温度を下げるようにヒータ１５の通電を制御して、敷きふとん本体１の上生地３ａの温度を約３６度となるように制御する。この場合空間材ユニット８は空間材６により温風の通気路が確保されるため、温風供給手段１２で温風を供給し続けることができ、敷きふとん本体１の上生地３ａを暖め続けても温度が低いため低温やけどをする心配はない。
【００３３】
なお、ふとん乾燥モードの運転中に敷きふとん本体１に人が乗ったことを圧力センサー１７で確実に検知するためには、敷きふとん本体１に掛けふとんを掛けた程度の荷重による送風圧力の上昇を検知しないように圧力センサー１７の閾値を設定するようにすれば誤動作を防ぐことができる。
【００３４】
また、空間材ユニット８と通風袋９に送風される温風又は冷風の送風量を通風袋９側に多く流れるようにすることにより、使用者が敷きふとん本体１の上に就寝して通風袋９が潰れた場合、通風袋９の通気路９ａが塞がれることによる送風圧力の上昇値が大きくなるため、圧力センサー１７で検知しやすくすることができ誤動作を防ぐことができる。
【００３５】
このように、切換スイッチ２１を切り換えてふとん乾燥モードにすることにより、敷きふとん本体１の生地３の表面温度を約５０度程度にすることができ、敷きふとん本体１に掛けふとんを掛ける等すれば敷きふとん本体１および掛けふとんの乾燥ができると共にダニ等を死滅させることができる。
【００３６】
また、切換スイッチ２１を切り換えて温風モードにすることにより、敷きふとん本体１の生地３の表面温度を約３６度程度にすることができ、使用者が就寝時に温風を送り続けても低温やけどの心配のないものとすることができる。
【００３７】
また、切換スイッチ２１を切り換えて送風モードにすることにより、暑い夏場等に敷きふとん本体１に滞留した熱気および湿気を敷きふとん本体１外に排出することができ、快適な寝床内環境を作ることができる。
【００３８】
また、切換スイッチ２１を切り換えてふとん乾燥モードにして、敷きふとん本体１の上で使用者が就寝した場合、圧力センサー１７の信号により、自動的に温風温度を制御して低温やけどを発生させない低い温度にして、継続して敷きふとん本体１を温め続けることができるため、安全で快適な寝具を供給することができる。
【図面の簡単な説明】
【００３９】
【図１】本発明の一実施例を説明する圧力検知機能付き寝具の縦断面図である。
【図２】同じく要部の縦断面図である。
【図３】同じく平面図である。
【図４】同じく温風供給手段の制御ブロック図である。
【図５】従来例の縦段面図である。
【図６】従来例の平面図である。
【符号の説明】
【００４０】
１  敷きふとん本体
３  生地
８  空間材ユニット
９  通風袋
１０  開口部
１１  連結管
１２  温風供給手段
１７  圧力センサー
１９  制御部
２１  切り替えスイッチ
【図１】
2006346053.tif 000003
【図２】
2006346053.tif 000004
【図３】
2006346053.tif 000005
【図４】
2006346053.tif 000006
【図５】
2006346053.tif 000007
【図６】
2006346053.tif 000008